(57)【要約】      （修正有）【課題】使い勝手に応じて引戸または開き戸を選択することができ、開き戸として使用する場合、左右いずれにも開くことができるドア構造を提供する。【解決手段】各固定可動変換手段１３が、床側突出部２６および天井側突出部をそれぞれ戸１１の床側または天井側の側縁から突出した突出位置に同時に位置付け可能、戸１１の床側または天井側の側縁より引っ込んだ可動位置に同時に位置付け可能、かつ、戸１１を床側レール１４および天井側レールに沿ってスライド可能なスライド位置に同時に位置付け可能に設けられた操作部を有している。各床側挿入孔１６が、戸１１を閉じたとき、突出位置の床側突出部２６を挿入可能に設けられている。各天井側挿入孔が、戸１１を閉じたとき、突出位置の天井側突出部を挿入可能に設けられている。【選択図】図２
2009019411.tif 000002
【特許請求の範囲】
【請求項１】
戸で開口部を開閉するドア構造であって、
１対の固定可動変換手段と１対の床側挿入孔と１対の天井側挿入孔とを有し、
各固定可動変換手段は前記戸の左右の両側縁部に設けられ、前記戸の床側の側縁から床に向かって突出可能に設けられた床側突出部と、前記戸の天井側の側縁から天井に向かって突出可能に設けられた天井側突出部と、前記床側突出部および前記天井側突出部に接続され、前記床側突出部および前記天井側突出部をそれぞれ前記戸の床側または天井側の側縁から突出した突出位置に同時に位置付け可能、かつ前記戸の床側または天井側の側縁より引っ込んだ可動位置に同時に位置付け可能に前記床側突出部と前記天井側突出部との中間付近に設けられた操作部とを有し、
各床側挿入孔は前記戸を閉じたとき、前記開口部の下部側縁の各固定可動変換手段の前記床側突出部に対向する位置に、前記突出位置の前記床側突出部を挿入可能に設けられ、
各天井側挿入孔は前記戸を閉じたとき、前記開口部の上部側縁の各固定可動変換手段の前記天井側突出部に対向する位置に、前記突出位置の前記天井側突出部を挿入可能に設けられていることを、
特徴とするドア構造。
【請求項２】
引戸により前記開口部を開閉するドア構造であって、
床側レールと天井側レールとを有し、
前記床側突出部は先端に床側戸車を有し、
前記天井側突出部は先端に天井側戸車を有し、
前記床側レールは前記戸の床側の側面に対向する位置に、前記開口部の下部側縁に沿って設けられ、
前記天井側レールは前記戸の天井側の側面に対向する位置に、前記開口部の上部側縁に沿って前記床側レールと対向するよう設けられ、
前記操作部は、前記戸を前記床側レールおよび前記天井側レールに沿ってスライド可能に、前記床側突出部および前記天井側突出部を前記床側戸車が前記床側レールに接し、前記天井側戸車が前記天井側レールに接するスライド位置に同時に位置付け可能であることを、
特徴とする請求項１記載のドア構造。
【請求項３】
各床側挿入孔は、内部に台座と弾性体とを有し、前記弾性体は前記台座を上下動可能に支持し、常態でその付勢力により前記台座を前記床側レールの高さまで押し上げるよう設けられ、前記スライド位置の前記床側突出部を支持した前記台座を前記床側レールの高さに維持可能な弾力性を有していることを、特徴とする請求項２記載のドア構造。
【請求項４】
引戸により前記開口部を開閉するドア構造であって、
床側レールと天井側レールとを有し、
前記床側レールは前記戸の床側の側面に対向する位置に、前記開口部の下部側縁に沿って設けられ、
前記天井側レールは前記戸の天井側の側面に対向する位置に、前記開口部の上部側縁に沿って前記床側レールと対向するよう設けられ、
各固定可動変換手段は、前記戸の床側の側縁から床に向かって突出可能に設けられた床側突出戸車と、前記戸の天井側の側縁から天井に向かって突出可能に設けられた天井側突出戸車とを有し、前記操作部は前記床側突出戸車および前記天井側突出戸車に接続され、前記床側突出部および前記天井側突出部を前記突出位置に位置付けるとき、前記床側突出戸車および前記天井側突出戸車を前記戸の床側または天井側の側縁より引っ込む位置に位置付け、前記床側突出部および前記天井側突出部を前記可動位置に位置付けるとき、前記戸を前記床側レールおよび前記天井側レールに沿ってスライド可能に、前記床側突出戸車および前記天井側突出戸車を前記床側レールまたは前記天井側レールに接する位置と、前記床側突出戸車および前記天井側突出戸車を前記戸の床側または天井側の側縁より引っ込む位置とに、選択的に位置付け可能であることを、
特徴とする請求項１記載のドア構造。
【請求項５】
上吊り引戸により前記開口部を開閉するドア構造であって、
ガイドレールと吊り戸車とを有し、
前記ガイドレールは前記開口部の上部側縁に沿って設けられ、
前記吊り戸車は前記ガイドレールに沿って移動可能に設けられ、
各固定可動変換手段は前記吊り戸車に着脱可能に設けられた連結部を有し、前記操作部により前記床側突出部および前記天井側突出部を前記可動位置に位置付けるとき前記連結部を前記吊り戸車に連結し、前記床側突出部および前記天井側突出部を前記突出位置に位置付けるとき前記連結部を前記吊り戸車から外すよう構成されていることを、
特徴とする請求項１記載のドア構造。
【請求項６】
前記戸は高さ方向に沿って折り畳み可能に、高さ方向に沿った１または複数の折り部を有していることを、特徴とする請求項１、２、３、４または５記載のドア構造。
【請求項７】
引力部材と戸当たり部材とを有し、
前記引力部材および前記戸当たり部材は、一方が磁石から成り、他方が前記磁石にくっつく材質から成り、
前記引力部材は前記戸の床側の側面および天井側の側面のうち、１または複数箇所に設けられ、
前記戸当たり部材は前記戸を閉じたとき、前記開口部の下部側縁または上部側縁の前記引力部材に対向する位置に設けられ、前記戸を閉じたとき、前記磁石の引力により前記開口部の下部側縁または上部側縁から突出して前記引力部材にくっつき、前記戸を開くとき、前記引力部材から外れるよう構成されていることを、
特徴とする請求項１、２、３、４、５または６記載のドア構造。
【請求項８】
各固定可動変換手段の前記床側突出部および前記天井側突出部の水平位置および垂直位置、または、各床側挿入孔および各天井側挿入孔の水平位置および垂直位置を調整するための軸調整部を有することを、特徴とする請求項１、２、３、４、５、６または７記載のドア構造。
【発明の詳細な説明】
【技術分野】
【０００１】
本発明は、ドア構造に関する。
【背景技術】
【０００２】
従来のドア構造として、枠体の内部に左右方向に開閉される障子と、この障子内に前後方向に開閉可能な扉とが設けられ、引戸兼開き戸として使用可能なものがある（例えば、特許文献１参照）。
【０００３】
【特許文献１】特開平８−３１２２５７号公報
【発明の開示】
【発明が解決しようとする課題】
【０００４】
しかしながら、特許文献１に記載のドア構造は、使用者の使い勝手に応じて引戸または開き戸を選択して使用することはできるが、一般的な開き戸の場合と同様に、開き戸の左右の開く方向を間違えて取り付けてしまうことが多いという課題があった。また、開き戸の左右の開く方向が固定されているため、家具の配置などに制約があるという課題もあった。
【０００５】
本発明は、このような課題に着目してなされたもので、使い勝手に応じて引戸または開き戸を選択することができ、開き戸として使用する場合、左右いずれにも開くことができるドア構造を提供することを目的としている。
【課題を解決するための手段】
【０００６】
上記目的を達成するために、本発明に係るドア構造は、戸で開口部を開閉するドア構造であって、１対の固定可動変換手段と１対の床側挿入孔と１対の天井側挿入孔とを有し、各固定可動変換手段は前記戸の左右の両側縁部に設けられ、前記戸の床側の側縁から床に向かって突出可能に設けられた床側突出部と、前記戸の天井側の側縁から天井に向かって突出可能に設けられた天井側突出部と、前記床側突出部および前記天井側突出部に接続され、前記床側突出部および前記天井側突出部をそれぞれ前記戸の床側または天井側の側縁から突出した突出位置に同時に位置付け可能、かつ前記戸の床側または天井側の側縁より引っ込んだ可動位置に同時に位置付け可能に前記床側突出部と前記天井側突出部との中間付近に設けられた操作部とを有し、各床側挿入孔は前記戸を閉じたとき、前記開口部の下部側縁の各固定可動変換手段の前記床側突出部に対向する位置に、前記突出位置の前記床側突出部を挿入可能に設けられ、各天井側挿入孔は前記戸を閉じたとき、前記開口部の上部側縁の各固定可動変換手段の前記天井側突出部に対向する位置に、前記突出位置の前記天井側突出部を挿入可能に設けられていることを、特徴とする。
【０００７】
本発明に係るドア構造は、以下のようにして使用される。まず、戸を閉じた状態で、戸の左右の両側縁部に設けられた各固定可動変換手段の操作部を操作して、一方の固定可動変換手段の床側突出部および天井側突出部を突出位置に、他方の固定可動変換手段の床側突出部および天井側突出部を可動位置に位置付ける。このとき、突出位置の床側突出部および天井側突出部が、それぞれ対応する床側挿入孔および天井側挿入孔に挿入され、可動位置の床側突出部および天井側突出部が、それぞれ戸の床側および天井側の側縁より引っ込む。これにより、戸が、突出位置の床側突出部および天井側突出部を軸として回転可能となり、開き戸として使用することができる。また、各固定可動変換手段の床側突出部および天井側突出部の、突出位置と可動位置とを逆にすることにより、開き戸の左右の開き方向を変えることができる。このように、本発明に係るドア構造は、開き戸として使用する場合、左右いずれにも開くことができる。
【０００８】
次に、戸を閉じた状態で、各固定可動変換手段の操作部を操作して、双方の固定可動変換手段の床側突出部および天井側突出部を突出位置に位置付ける。これにより、全ての床側突出部および天井側突出部が、それぞれ対応する床側挿入孔および天井側挿入孔に挿入されるため、戸が開かないように固定することができる。さらに、各固定可動変換手段の操作部を操作して、双方の固定可動変換手段の床側突出部および天井側突出部を可動位置に位置付ける。このとき、全ての床側突出部および天井側突出部が、それぞれ戸の床側および天井側の側縁より引っ込む。開口部の上部側縁や下部側縁に沿って、戸をスライド可能にレール部材や戸車等を設けておくことにより、引戸として使用することができる。このように、本発明に係るドア構造は、使い勝手に応じて引戸または開き戸を選択することができる。
【０００９】
操作部が、各固定可動変換手段の床側突出部と天井側突出部との中間付近に設けられているため、使用者の手元の高さに近く、操作しやすい。操作部が、ドアノブや取っ手を兼ねることができ、使いやすい。
【００１０】
本発明に係るドア構造は、引戸により前記開口部を開閉するドア構造であって、床側レールと天井側レールとを有し、前記床側突出部は先端に床側戸車を有し、前記天井側突出部は先端に天井側戸車を有し、前記床側レールは前記戸の床側の側面に対向する位置に、前記開口部の下部側縁に沿って設けられ、前記天井側レールは前記戸の天井側の側面に対向する位置に、前記開口部の上部側縁に沿って前記床側レールと対向するよう設けられ、前記操作部は、前記戸を前記床側レールおよび前記天井側レールに沿ってスライド可能に、前記床側突出部および前記天井側突出部を前記床側戸車が前記床側レールに接し、前記天井側戸車が前記天井側レールに接するスライド位置に同時に位置付け可能であることが好ましい。この場合、操作部を操作して、双方の固定可動変換手段の床側突出部および天井側突出部をスライド位置に位置付けることにより、床側戸車が床側レールに接し、天井側戸車が天井側レールに接するため、戸を床側レールおよび天井側レールに沿ってスライドさせることができ、引戸として使用することができる。
【００１１】
各床側挿入孔は、内部に台座と弾性体とを有し、前記弾性体は前記台座を上下動可能に支持し、常態でその付勢力により前記台座を前記床側レールの高さまで押し上げるよう設けられ、前記スライド位置の前記床側突出部を支持した前記台座を前記床側レールの高さに維持可能な弾力性を有していてもよい。この場合、弾性体の弾力性により、スライド位置の床側突出部を支持した台座を床側レールの高さに維持可能であるため、戸を床側レールに沿ってスムーズにスライドさせることができる。
【００１２】
本発明に係るドア構造は、引戸により前記開口部を開閉するドア構造であって、床側レールと天井側レールとを有し、前記床側レールは前記戸の床側の側面に対向する位置に、前記開口部の下部側縁に沿って設けられ、前記天井側レールは前記戸の天井側の側面に対向する位置に、前記開口部の上部側縁に沿って前記床側レールと対向するよう設けられ、各固定可動変換手段は、前記戸の床側の側縁から床に向かって突出可能に設けられた床側突出戸車と、前記戸の天井側の側縁から天井に向かって突出可能に設けられた天井側突出戸車とを有し、前記操作部は前記床側突出戸車および前記天井側突出戸車に接続され、前記床側突出部および前記天井側突出部を前記突出位置に位置付けるとき、前記床側突出戸車および前記天井側突出戸車を前記戸の床側または天井側の側縁より引っ込む位置に位置付け、前記床側突出部および前記天井側突出部を前記可動位置に位置付けるとき、前記戸を前記床側レールおよび前記天井側レールに沿ってスライド可能に、前記床側突出戸車および前記天井側突出戸車を前記床側レールまたは前記天井側レールに接する位置と、前記床側突出戸車および前記天井側突出戸車を前記戸の床側または天井側の側縁より引っ込む位置とに、選択的に位置付け可能であってもよい。この場合、操作部を操作して、双方の固定可動変換手段の床側突出部および天井側突出部を可動位置に位置付け、床側突出戸車および天井側突出戸車を床側レールまたは天井側レールに接する位置に選択的に位置付けることにより、戸を床側レールおよび天井側レールに沿ってスライドさせることができ、引戸として使用することができる。
【００１３】
本発明に係るドア構造は、上吊り引戸により前記開口部を開閉するドア構造であって、ガイドレールと吊り戸車とを有し、前記ガイドレールは前記開口部の上部側縁に沿って設けられ、前記吊り戸車は前記ガイドレールに沿って移動可能に設けられ、各固定可動変換手段は前記吊り戸車に着脱可能に設けられた連結部を有し、前記操作部により前記床側突出部および前記天井側突出部を前記可動位置に位置付けるとき前記連結部を前記吊り戸車に連結し、前記床側突出部および前記天井側突出部を前記突出位置に位置付けるとき前記連結部を前記吊り戸車から外すよう構成されていてもよい。この場合、操作部を操作して、双方の固定可動変換手段の床側突出部および天井側突出部を可動位置に位置付けることにより、連結部が吊り戸車に連結するため、戸をガイドレールに沿ってスライドさせることができ、上吊り引戸として使用することができる。なお、操作部を操作して、双方の固定可動変換手段の床側突出部および天井側突出部を突出位置に位置付けることにより、連結部を吊り戸車から外すことができる。
【００１４】
本発明に係るドア構造で、前記戸は高さ方向に沿って折り畳み可能に、高さ方向に沿った１または複数の折り部を有していてもよい。この場合、一方の固定可動変換手段の床側突出部および天井側突出部を突出位置に、他方の固定可動変換手段の床側突出部および天井側突出部を可動位置またはスライド位置に位置付けることにより、折戸として使用することができる。また、双方の固定可動変換手段の床側突出部および天井側突出部を可動位置またはスライド位置に位置付けることにより、折戸として使用される戸を移動させることができる。
【００１５】
本発明に係るドア構造は、引力部材と戸当たり部材とを有し、前記引力部材および前記戸当たり部材は、一方が磁石から成り、他方が前記磁石にくっつく材質から成り、前記引力部材は前記戸の床側の側面および天井側の側面のうち、１または複数箇所に設けられ、前記戸当たり部材は前記戸を閉じたとき、前記開口部の下部側縁または上部側縁の前記引力部材に対向する位置に設けられ、前記戸を閉じたとき、前記磁石の引力により前記開口部の下部側縁または上部側縁から突出して前記引力部材にくっつき、前記戸を開くとき、前記引力部材から外れるよう構成されていてもよい。この場合、引力部材および戸当たり部材により、戸を閉鎖位置に保持することができる。また、磁石の引力により引力部材と戸当たり部材とがくっつくため、戸を開く動作により、戸当たり部材が引力部材から容易に外れるようにすることができる。
【００１６】
本発明に係るドア構造は、各固定可動変換手段の前記床側突出部および前記天井側突出部の水平位置および垂直位置、または、各床側挿入孔および各天井側挿入孔の水平位置および垂直位置を調整するための軸調整部を有していてもよい。この場合、軸調整部により、取り付けの際や、ドア枠や戸の歪みやたわみ等による、床側突出部と床側挿入孔との水平位置や垂直位置のずれ、および、天井側突出部と天井側挿入孔との水平位置や垂直位置のずれを、容易に調整することができる。
【発明の効果】
【００１７】
本発明によれば、使い勝手に応じて引戸または開き戸を選択することができ、開き戸として使用する場合、左右いずれにも開くことができるドア構造を提供することができる。
【発明を実施するための最良の形態】
【００１８】
以下、図面に基づき本発明の実施の形態について説明する。
図１乃至図８は、本発明の第１の実施の形態のドア構造を示している。
図１乃至図３に示すように、ドア構造１０は、戸１１で開口部１２を開閉可能であり、１対の固定可動変換手段１３と床側レール１４と天井側レール１５と１対の床側挿入孔１６と１対の天井側挿入孔１７と引力部材１８と戸当たり部材１９と軸調整部２０とを有している。
【００１９】
図１に示すように、戸１１は、所定の厚みを有する矩形板から成っている。
図２および図３に示すように、各固定可動変換手段１３は、戸１１の左右の両側縁部に設けられ、操作部２１と１対の歯車２２ａ，２２ｂと１対の軸ピン２３ａ，２３ｂと１対の収納ボックス２４ａ，２４ｂと１対のカバー部２５ａ，２５ｂと床側突出部２６と天井側突出部２７とを有している。図３に示すように、操作部２１は、半円形型の回転ハンドルから成り、戸１１の中間高さ付近に設けられている。各歯車２２ａ，２２ｂは、平歯車から成り、互いに噛み合っており、戸１１の厚み方向に沿った軸を中心として回転可能に戸１１の内部に設けられている。各歯車２２ａ，２２ｂは、上下方向に並んで配置され、上側の歯車２２ｂが操作部２１とともに同軸で回転するよう操作部２１に接続されている。
【００２０】
各軸ピン２３ａ，２３ｂは、細長い棒状で、一方の端部に各歯車２２ａ，２２ｂに噛み合うよう形成されたラック２８を有している。一方の軸ピン２３ａは、下側の歯車２２ａにラック２８を噛み合わせて、床に向かって伸びるよう配置され、他方の軸ピン２３ｂは、上側の歯車２２ｂにラック２８を噛み合わせて、天井に向かって伸びるよう配置されている。各軸ピン２３ａ，２３ｂは、他方の端部がそれぞれ戸１１の床側および天井側の側縁から突出しないようになっている。図２に示すように、各収納ボックス２４ａ，２４ｂは、戸１１の床側および天井側の側面に設けられ、内部にそれぞれ各軸ピン２３ａ，２３ｂの他方の端部が収納されている。各カバー部２５ａ，２５ｂは、それぞれ各収納ボックス２４ａ，２４ｂの内部に収納されている。各カバー部２５ａ，２５ｂは、それぞれ各軸ピン２３ａ，２３ｂの他方の端部が固定され、各軸ピン２３ａ，２３ｂとともに上下方向にスライド可能になっている。
【００２１】
床側突出部２６は、細長く、先端に床側戸車２９を有し、床側のカバー部２５ａに固定されている。床側突出部２６は、カバー部２５ａとともに上下方向にスライドして、戸１１の床側の側縁から床に向かって突出可能になっている。天井側突出部２７は、細長く、先端に天井側戸車３０を有し、天井側のカバー部２５ｂに固定されている。天井側突出部２７は、カバー部２５ｂとともに上下方向にスライドして、戸１１の天井側の側縁から天井に向かって突出可能になっている。
【００２２】
こうして、各固定可動変換手段１３は、操作部２１を回転させることにより、床側突出部２６および天井側突出部２７をそれぞれ戸１１の床側または天井側の側縁から突出した突出位置に同時に位置付け可能、突出位置より引っ込んだスライド位置に同時に位置付け可能、かつ戸１１の床側または天井側の側縁より引っ込んだ可動位置に同時に位置付け可能に構成されている。各固定可動変換手段１３は、操作部２１を垂直にしたとき床側突出部２６および天井側突出部２７が突出位置になり、操作部２１を斜めにしたときスライド位置になり、操作部２１を水平にしたとき可動位置になるよう構成されている。また、図３（ａ）に示すように、各固定可動変換手段１３は、床側突出部２６および天井側突出部２７が突出位置、スライド位置、可動位置で保持されるよう、下側の歯車２２ａにそれぞれの位置に対応するストッパ３１を有している。
【００２３】
図１に示すように、床側レール１４は、戸１１の床側の側面に対向する位置に、開口部１２の下部側縁に沿って設けられている。図２（ｂ）に示すように、床側レール１４は、床側突出部２６がスライド位置のとき、床側戸車２９が接する高さに設けられている。図１に示すように、天井側レール１５は、戸１１の天井側の側面に対向する位置に、開口部１２の上部側縁に沿って床側レール１４と対向するよう設けられている。天井側レール１５は、天井側突出部２７がスライド位置のとき、天井側戸車３０が接する高さに設けられている。これにより、ドア構造１０は、床側突出部２６および天井側突出部２７がスライド位置のとき、戸１１を床側レール１４および天井側レール１５に沿ってスライド可能になっている。
【００２４】
図２（ｂ）および（ｄ）に示すように、各床側挿入孔１６は、戸１１を閉じたとき、床側レール１４の各固定可動変換手段１３の床側突出部２６に対向する位置に設けられ、内部にスプリング３２ａと台座３３ａとを有している。図４（ｂ）に示すように、スプリング３２ａは、台座３３ａを上下動可能に支持し、常態でその付勢力により台座３３ａを床側レール１４の高さまで押し上げている。また、スプリング３２ａは、スライド位置の床側突出部２６を支持した台座３３ａを、床側レール１４の高さに維持可能な弾力性を有している。図４（ａ）に示すように、各床側挿入孔１６は、床側突出部２６が突出位置のとき、床側突出部２６がスプリング３２ａの付勢力に抗して台座３３ａを押し込むことにより、床側突出部２６を挿入可能になっている。各天井側挿入孔１７は、戸１１を閉じたとき、天井側レール１５の各固定可動変換手段１３の天井側突出部２７に対向する位置に設けられ、内部にスプリング３２ｂと台座３３ｂとを有している。スプリング３２ｂは、台座３３ｂを上下動可能に支持し、常態でその付勢力により台座３３ｂを天井側レール１５の高さまで押し下げている。各天井側挿入孔１７は、天井側突出部２７が突出位置のとき、天井側突出部２７がスプリング３２ｂの付勢力に抗して台座３３ｂを押し込むことにより、天井側突出部２７を挿入可能になっている。
【００２５】
図２（ｂ）に示すように、引力部材１８は、磁石から成り、戸１１の床側の側面および天井側の側面の、各収納ボックス２４ａ，２４ｂ脇の戸１１の高さ方向中心線寄りの位置に、全部で４つ設けられている。各引力部材１８は、先端が半球状に形成され、先端がそれぞれ戸１１の床側または天井側の側面から突出するよう固定されている。戸当たり部材１９は、磁石にくっつく鉄製で、全部で４つから成っている。各戸当たり部材１９は、戸１１を閉じたとき、床側レール１４または天井側レール１５の各引力部材１８に対向する位置に設けられている。図４（ｃ）および（ｄ）に示すように、各戸当たり部材１９は、床側レール１４または天井側レール１５に設けられた戸当たり孔３４の内部に、レールの高さと、戸１１の床側の側面または天井側の側面まで突出する高さとの間でスライド可能に設けられている。各戸当たり部材１９は、戸１１を閉じたとき、引力部材１８の磁石の引力により、戸当たり孔３４から突出して引力部材１８にくっつき、戸１１を開くとき、引力部材１８から外れるよう構成されている。
【００２６】
図２（ａ）乃至（ｃ）に示すように、軸調整部２０は、４つから成り、各カバー部２５ａ，２５ｂに設けられている。各軸調整部２０は、戸１１の厚み方向に沿った床側突出部２６または天井側突出部２７の位置を調整するための円環状のＸ軸調整歯車３５と、Ｘ軸調整歯車３５を動かすためのＸ軸調整ボルト３６と、戸１１の幅方向に沿った床側突出部２６または天井側突出部２７の位置を調整するためのＹ軸調整歯車３７と、床側突出部２６または天井側突出部２７の高さを調整するための高さ調整歯車３８とを有している。これにより、各軸調整部２０は、床側突出部２６または天井側突出部２７の水平位置および垂直位置を調整可能になっている。
【００２７】
次に、作用について説明する。
ドア構造１０は、以下のようにして使用される。まず、図５（ａ）に示すように、戸１１を閉じた状態で、戸１１の左右の両側縁部に設けられた各固定可動変換手段１３の操作部２１を操作して、一方の固定可動変換手段１３の床側突出部２６および天井側突出部２７を突出位置に、他方の固定可動変換手段１３の床側突出部２６および天井側突出部２７を可動位置に位置付ける。このとき、突出位置の床側突出部２６および天井側突出部２７が、それぞれ対応する床側挿入孔１６および天井側挿入孔１７に挿入され、可動位置の床側突出部２６および天井側突出部２７が、それぞれ戸１１の床側および天井側の側縁より引っ込む。これにより、戸１１が、突出位置の床側突出部２６および天井側突出部２７を軸として回転可能となり、開き戸として使用することができる。また、各固定可動変換手段１３の床側突出部２６および天井側突出部２７の、突出位置と可動位置とを逆にすることにより、開き戸の左右の開き方向を変えることができる。このように、ドア構造１０は、開き戸として使用する場合、左右いずれにも開くことができる。
【００２８】
次に、図６（ａ）に示すように、操作部２１を操作して、双方の固定可動変換手段１３の床側突出部２６および天井側突出部２７をスライド位置に位置付ける。これにより、床側戸車２９が床側レール１４に接し、天井側戸車３０が天井側レール１５に接するため、戸１１を床側レール１４および天井側レール１５に沿ってスライドさせることができ、引戸として使用することができる。また、スプリング３２ａの弾力性により、スライド位置の床側突出部２６を支持した台座３３ａを、床側レール１４の高さに維持可能であるため、戸１１を床側レール１４に沿ってスムーズにスライドさせることができる。このように、ドア構造１０は、使い勝手に応じて引戸または開き戸を選択することができる。
【００２９】
また、戸１１を閉じた状態で、操作部２１を操作して、双方の固定可動変換手段１３の床側突出部２６および天井側突出部２７を突出位置に位置付けることにより、全ての床側突出部２６および天井側突出部２７が、それぞれ対応する床側挿入孔１６および天井側挿入孔１７に挿入されるため、戸１１が開かないように固定することができる。さらに、操作部２１を操作して、双方の固定可動変換手段１３の床側突出部２６および天井側突出部２７を可動位置に位置付けることにより、全ての床側突出部２６および天井側突出部２７が、それぞれ戸１１の床側および天井側の側縁より引っ込むため、戸１１を容易に取り外すことができる。
【００３０】
ドア構造１０は、操作部２１が、各固定可動変換手段１３の床側突出部２６と天井側突出部２７との中間付近に設けられているため、使用者の手元の高さに近く、操作しやすい。操作部２１が、取っ手を兼ねているため、使いやすい。また、引力部材１８および戸当たり部材１９により、戸１１を閉鎖位置に保持することができる。磁石の引力により引力部材１８と戸当たり部材１９とがくっつくため、戸１１を開く動作により、戸当たり部材１９を引力部材１８から容易に外すことができる。軸調整部２０により、取り付けの際や、ドア枠や戸１１の歪みやたわみ等による、床側突出部２６と床側挿入孔１６との水平位置や垂直位置のずれ、および、天井側突出部２７と天井側挿入孔１７との水平位置や垂直位置のずれを、容易に調整することができる。
【００３１】
なお、ドア構造１０は、その取り付け方法により、図５（ｂ）に示す開き戸、図５（ｃ）に示す外付け一本引戸兼開き戸、図６（ｂ）に示す引き違い戸兼開き戸、図６（ｃ）に示す内付け一本引戸兼開き戸、図６（ｄ）に示す引込み戸兼開き戸等として使用することができる。
【００３２】
また、図７に示すように、ドア構造１０で、戸１１は高さ方向に沿って折り畳み可能に、高さ方向に沿った折り部３９を有していてもよい。この場合、一方の固定可動変換手段１３の床側突出部２６および天井側突出部２７を突出位置に、他方の固定可動変換手段１３の床側突出部２６および天井側突出部２７をスライド位置に位置付けることにより、折戸として使用することができる。また、双方の固定可動変換手段１３の床側突出部２６および天井側突出部２７をスライド位置に位置付けることにより、折戸として使用される戸１１を移動させることができる。図８に示すように、複数の戸１１を使用することにより、様々なパターンの折戸を形成することができる。戸１１は、自由蝶番により、折り部３９で両側に折り畳み可能に形成されていることが好ましい。
【００３３】
図９乃至図１２は、本発明の第２の実施の形態のドア構造を示している。
図９乃至図１２に示すように、ドア構造５０は、戸５１で開口部５２を開閉可能であり、１対の固定可動変換手段５３と引力部材５４とガイドレール５５と吊り戸車５６と床側レール５７と天井側レール５８と１対の床側台座５９と１対の天井側台座６０と軸調整部６１とを有している。
【００３４】
図９に示すように、戸５１は、所定の厚みを有する矩形板から成っている。
図１０乃至図１２に示すように、各固定可動変換手段５３は、戸５１の左右の両側縁部に設けられ、操作部６２と回転盤６３と１対の軸ピン６４ａ，６４ｂと連結部６５とを有している。図１０に示すように、操作部６２は、半円形型の回転ハンドルから成り、戸５１の中間高さ付近に設けられている。回転盤６３は、円形で、戸５１の厚み方向に沿った軸を中心として回転可能に戸５１の内部に設けられている。回転盤６３は、操作部６２とともに同軸で回転するよう操作部６２に接続されている。
【００３５】
各軸ピン６４ａ，６４ｂは、細長い棒状で、一端に戸５１の厚み方向に沿った軸を中心として回転可能に設けられた引込みアーム６６を有している。各軸ピン６４ａ，６４ｂは、引込みアーム６６の先端が、それぞれ回転盤６３の上縁部および下縁部に、戸５１の厚み方向に沿った軸を中心として回転可能に取り付けられている。各軸ピン６４ａ，６４ｂは、それぞれ床および天井に向かって伸びるよう配置されている。各軸ピン６４ａ，６４ｂは、他方の端部にそれぞれ床側突出部６７および天井側突出部６８を有し、床側突出部６７および天井側突出部６８がそれぞれ戸５１の床側および天井側の側縁から突出するよう設けられている。床側突出部６７は、先端に床側戸車６９を有している。天井側突出部６８は、先端に天井側戸車７０を有している。床側突出部６７および天井側突出部６８は、各軸ピン６４ａ，６４ｂとともに上下方向にスライドして、それぞれ戸５１の床側または天井側の側縁から床または天井に向かって突出したり引っ込んだりするようになっている。
【００３６】
こうして、各固定可動変換手段５３は、操作部６２を回転させることにより、床側突出部６７および天井側突出部６８をそれぞれ戸５１の床側または天井側の側縁から突出した突出位置に同時に位置付け可能、突出位置より引っ込んだスライド位置に同時に位置付け可能、かつ戸５１の床側または天井側の側縁より引っ込んだ可動位置に同時に位置付け可能に構成されている。各固定可動変換手段５３は、操作部６２を垂直にしたとき床側突出部６７および天井側突出部６８が突出位置になり、操作部６２を斜めにしたときスライド位置になり、操作部６２を水平にしたとき可動位置になるよう構成されている。また、図１０（ａ）に示すように、各固定可動変換手段５３は、床側突出部６７および天井側突出部６８が突出位置、スライド位置、可動位置で保持されるよう、回転盤６３の周縁にそれぞれの位置に対応するストッパ溝７１を有している。
【００３７】
図１２に示すように、連結部６５は、戸５１の上部に設けられ、連結ピン７２と連結バネ７３とを有している。連結ピン７２は、細長く、一端に歯車部７４を有し、他端に雄ネジ部７５を有している。連結ピン７２は、歯車部７４が天井に向かって伸びる軸ピン６４ｂの側部に設けられたラック７６に噛み合うよう、戸５１の厚み方向に沿って設けられている。連結ピン７２は、雄ネジ部７５が戸５１の表面から突出している。連結バネ７３は、連結ピン７２の一端側の端面を、他端側に向かって付勢するよう設けられている。連結部６５は、軸ピン６４ｂの上下方向のスライドとともに、連結ピン７２がその中心軸周りに正方向および逆方向に回転するようになっている。
【００３８】
図１０（ａ）に示すように、引力部材５４は、磁石から成り、戸５１の床側の側面の、各床側突出部６７の戸５１の高さ方向側面寄りの位置に、全部で２つ設けられている。各引力部材５４は、表面が半球の凹形状に形成されている。
【００３９】
図９および図１１に示すように、ガイドレール５５は、開口部５２の上部側縁に沿って設けられている。ガイドレール５５は、戸５１に向いた側の側面が開口したＣ型の断面形状を有している。吊り戸車５６は、ガイドレール５５に沿って移動可能に、ガイドレール５５の内部に設けられている。吊り戸車５６は、戸５１に向いた側の側面に、連結ピン７２の雄ネジ部７５に螺合可能な雌ネジ部７７を有し、連結部６５に着脱可能になっている。吊り戸車５６は、操作部６２により床側突出部６７および天井側突出部６８を可動位置およびスライド位置に位置付けるとき、連結ピン７２が回転して雄ネジ部７５が雌ネジ部７７に螺合し、連結部６５に連結され、床側突出部６７および天井側突出部６８を突出位置に位置付けるとき、連結ピン７２が回転して雄ネジ部７５が雌ネジ部７７から外れ、連結部６５から外されるよう構成されている。
【００４０】
図９および図１０（ｂ）に示すように、床側レール５７は、戸５１の床側の側面に対向する位置に、開口部５２の下部側縁に沿って設けられている。床側レール５７は、床側突出部６７がスライド位置のとき、床側戸車６９が接する高さに設けられている。図９に示すように、天井側レール５８は、戸５１の天井側の側面に対向する位置に、開口部５２の上部側縁に沿って床側レール５７と対向するよう設けられている。天井側レール５８は、天井側突出部６８がスライド位置のとき、天井側戸車７０が接する高さに設けられている。これにより、ドア構造５０は、床側突出部６７および天井側突出部６８がスライド位置のとき、戸５１を床側レール５７、天井側レール５８およびガイドレール５５に沿ってスライド可能、床側突出部６７および天井側突出部６８が可動位置のとき、戸５１をガイドレール５５に沿ってスライド可能になっている。
【００４１】
図１０（ａ）に示すように、各床側台座５９は、戸５１を閉じたとき、開口部５２の下部側縁の、各固定可動変換手段５３の床側突出部６７およびその周辺に対向する位置に設けられ、床側挿入孔７８と戸当たり部材７９とを有している。床側挿入孔７８は、戸５１を閉じたとき、床側突出部６７に対向する位置に、突出位置の床側突出部６７を挿入可能に設けられている。戸当たり部材７９は、磁石にくっつく鉄製で、戸５１を閉じたとき、各引力部材５４に対向する位置に設けられている。戸当たり部材７９は、床側挿入孔７８の脇に設けられた戸当たり孔８０の内部に、開口部５２の下部側縁の高さと、戸５１の床側の側面まで突出する高さとの間でスライド可能に設けられている。戸当たり部材７９は、各引力部材５４の凹形状にぴったり合うよう、先端が半球状に形成されている。戸当たり部材７９は、戸５１を閉じたとき、引力部材５４の磁石の引力により、戸当たり孔８０から突出して引力部材５４にくっつき、戸５１を開くとき、引力部材５４から外れるよう構成されている。
【００４２】
図１２に示すように、各天井側台座６０は、戸５１を閉じたとき、開口部５２の上部側縁の、各固定可動変換手段５３の天井側突出部６８およびその周辺に対向する位置に設けられ、天井側挿入孔８１を有している。天井側挿入孔８１は、戸５１を閉じたとき、天井側突出部６８に対向する位置に、突出位置の天井側突出部６８を挿入可能に設けられている。
【００４３】
図１０（ａ）、図１１および図１２に示すように、軸調整部６１は、４つから成り、各床側台座５９および各天井側台座６０に設けられている。各軸調整部６１は、戸５１の幅方向に沿った床側挿入孔７８または天井側挿入孔８１の位置を調整するためのＸ軸調整歯車８２と、戸５１の厚み方向に沿った床側挿入孔７８または天井側挿入孔８１の位置を調整するためのＹ軸調整歯車８３と、床側挿入孔７８または天井側挿入孔８１の高さを調整するための高さ調整台座８４と高さ調整ビス８５とを有している。これにより、各軸調整部６１は、床側挿入孔７８または天井側挿入孔８１の水平位置および垂直位置を調整可能になっている。
【００４４】
次に、作用について説明する。
ドア構造５０は、以下のようにして使用される。まず、戸５１を閉じた状態で、戸５１の左右の両側縁部に設けられた各固定可動変換手段５３の操作部６２を操作して、一方の固定可動変換手段５３の床側突出部６７および天井側突出部６８を突出位置に、他方の固定可動変換手段５３の床側突出部６７および天井側突出部６８を可動位置に位置付ける。このとき、突出位置の床側突出部６７および天井側突出部６８が、それぞれ対応する床側挿入孔７８および天井側挿入孔８１に挿入され、可動位置の床側突出部６７および天井側突出部６８が、それぞれ戸５１の床側および天井側の側縁より引っ込む。また、連結部６５が吊り戸車５６と連結しないよう、あらかじめ吊り戸車５６の位置をずらしておく。これにより、戸５１が、突出位置の床側突出部６７および天井側突出部６８を軸として回転可能となり、開き戸として使用することができる。また、各固定可動変換手段５３の床側突出部６７および天井側突出部６８の、突出位置と可動位置とを逆にすることにより、開き戸の左右の開き方向を変えることができる。このように、ドア構造５０は、開き戸として使用する場合、左右いずれにも開くことができる。
【００４５】
次に、操作部６２を操作して、双方の固定可動変換手段５３の床側突出部６７および天井側突出部６８をスライド位置に位置付ける。これにより、床側戸車６９が床側レール５７に接し、天井側戸車７０が天井側レール５８に接し、連結部６５が吊り戸車５６に連結するため、戸５１を床側レール５７、天井側レール５８およびガイドレール５５に沿ってスライドさせることができ、引戸として使用することができる。さらに、操作部６２を操作して、双方の固定可動変換手段５３の床側突出部６７および天井側突出部６８を可動位置に位置付ける。これにより、全ての床側突出部６７および天井側突出部６８が、それぞれ戸５１の床側および天井側の側縁より引っ込むため、戸５１をガイドレール５５に沿ってスライドさせることができ、上吊り引戸として使用することができる。このように、ドア構造５０は、使い勝手に応じて引戸または開き戸を選択することができる。
【００４６】
また、戸５１を閉じた状態で、操作部６２を操作して、双方の固定可動変換手段５３の床側突出部６７および天井側突出部６８を突出位置に位置付ける。これにより、全ての床側突出部６７および天井側突出部６８が、それぞれ対応する床側挿入孔７８および天井側挿入孔８１に挿入されるため、戸５１が開かないように固定することができる。また、このとき、連結部６５を吊り戸車５６から外すことができる。
【００４７】
ドア構造５０は、操作部６２が、各固定可動変換手段５３の床側突出部６７と天井側突出部６８との中間付近に設けられているため、使用者の手元の高さに近く、操作しやすい。操作部６２が、取っ手を兼ねているため、使いやすい。また、引力部材５４および戸当たり部材７９により、戸５１を閉鎖位置に保持することができる。磁石の引力により引力部材５４と戸当たり部材７９とがくっつくため、戸５１を開く動作により、戸当たり部材７９を引力部材５４から容易に外すことができる。軸調整部６１により、取り付けの際や、ドア枠や戸５１の歪みやたわみ等による、床側突出部６７と床側挿入孔７８との水平位置や垂直位置のずれ、および、天井側突出部６８と天井側挿入孔８１との水平位置や垂直位置のずれを、容易に調整することができる。
【００４８】
図１３は、本発明の第３の実施の形態のドア構造を示している。
図１３に示すように、本発明の第３の実施の形態のドア構造は、本発明の第１の実施の形態のドア構造１０と、固定可動変換手段１３の一部が異なるものであり、以下の説明では、本発明の第１の実施の形態と同一の部材には同一の符号を付して重複する説明を省略する。
【００４９】
図１３に示すように、各固定可動変換手段１３は、操作部２１と１対の軸ピン２３ａ，２３ｂと床側突出戸車９１と天井側突出戸車（図示せず）と床側歯車９２と天井側歯車（図示せず）と床側突出部９３と天井側突出部（図示せず）とを有している。各軸ピン２３ａ，２３ｂは、他方の端部にラック９４ａを有している。床側突出戸車９１は、軸ピン２３ａの他方の端部に取り付けられている。床側突出戸車９１は、軸ピン２３ａとともに上下方向にスライドして、戸１１の床側の側縁から床に向かって突出可能になっている。天井側突出戸車は、軸ピン２３ｂの他方の端部に取り付けられている。天井側突出戸車は、軸ピン２３ｂとともに上下方向にスライドして、戸１１の天井側の側縁から天井に向かって突出可能になっている。
【００５０】
床側歯車９２および天井側歯車は、平歯車から成り、戸１１の内部に設けられ、戸１１の厚み方向に沿った軸を中心として回転可能に戸１１に取り付けられている。床側歯車９２は、軸ピン２３ａのラック９４ａに噛み合い、天井側歯車は、軸ピン２３ｂのラックに噛み合っている。床側突出部９３は、細長く、側面に床側歯車９２に噛み合うよう形成されたラック９４ｂを有している。床側突出部９３は、床側歯車９２の軸ピン２３ａが噛み合った位置とは反対側にラック９４ｂを噛み合わせ、先端が床に向かって伸びるよう配置されている。床側突出部９３は、床側歯車９２の回転とともに上下方向にスライドして、戸１１の床側の側縁から床に向かって突出可能になっている。床側突出部９３は、床側突出戸車９１と反対方向にスライドするようになっている。天井側突出部は、細長く、側面に天井側歯車に噛み合うよう形成されたラックを有している。天井側突出部は、天井側歯車の軸ピン２３ｂが噛み合った位置とは反対側にラックを噛み合わせ、先端が天井に向かって伸びるよう配置されている。天井側突出部は、天井側歯車の回転とともに上下方向にスライドして、戸１１の天井側の側縁から天井に向かって突出可能になっている。天井側突出部は、天井側突出戸車と反対方向にスライドするようになっている。
【００５１】
各固定可動変換手段１３は、操作部２１を回転させることにより、図１３（ａ）に示すように、床側突出部９３および天井側突出部を、戸１１の床側または天井側の側縁より引っ込んだ可動位置に位置付けるとともに、戸１１を床側レール１４および天井側レール１５に沿ってスライド可能に、床側突出戸車９１および天井側突出戸車を床側レール１４または天井側レール１５に接する位置に位置付け可能に構成されている。この場合、戸を床側レール１４および天井側レール１５に沿ってスライドさせることができ、引戸として使用することができる。
【００５２】
また、図１３（ｂ）に示すように、床側突出部９３および天井側突出部を、戸１１の床側または天井側の側縁から突出した突出位置に位置付けるとともに、床側突出戸車９１および天井側突出戸車を戸１１の床側または天井側の側縁より引っ込む位置に位置付け可能に構成されている。図１３（ｃ）に示すように、床側突出部９３および天井側突出部を、戸１１の床側または天井側の側縁より引っ込んだ可動位置に位置付けるとともに、床側突出戸車９１および天井側突出戸車を戸１１の床側または天井側の側縁より引っ込む位置に位置付け可能に構成されている。この場合、図１３（ｂ）と図１３（ｃ）とを組み合わせることにより、戸１１を開き戸として使用したり、戸１１を固定したり、戸１１を取り外したりすることができる。
【図面の簡単な説明】
【００５３】
【図１】本発明の第１の実施の形態のドア構造を示す正面図である。
【図２】図１に示すドア構造の（ａ）戸の底面図、（ｂ）床付近の戸および床側レールの部分縦断面図、（ｃ）収納ボックスの断面図、（ｄ）床側レールの平面図である。
【図３】図１に示すドア構造の固定可動変換手段の操作部付近を示す（ａ）正面から視た断面図、（ｂ）縦断面図である。
【図４】図１に示すドア構造の使用状態の（ａ）突出位置のときの床側突出部および床側挿入孔を示す断面図、（ｂ）スライド位置のときの床側突出部および床側挿入孔を示す断面図、（ｃ）戸が可動するときの引力部材および戸当たり部材を示す断面図、（ｄ）戸が閉鎖したときの引力部材および戸当たり部材を示す断面図である。
【図５】図１に示すドア構造の（ａ）開き戸としての使用状態を示す正面図および部分拡大図、（ｂ）開き戸としての使用状態を示す平面図、（ｃ）外付け一本引戸兼開き戸としての使用状態を示す平面図である。
【図６】図１に示すドア構造の（ａ）引戸としての使用状態を示す正面図および部分拡大図、（ｂ）引き違い戸兼開き戸としての使用状態を示す平面図、（ｃ）内付け一本引戸兼開き戸としての使用状態を示す平面図、（ｄ）引込み戸兼開き戸としての使用状態を示す平面図である。
【図７】図１に示すドア構造の折戸としての変形例を示す（ａ）正面図および部分拡大図、（ｂ）折戸を閉じた状態の平面図、（ｃ）折戸を開いた状態の平面図、（ｄ）折戸を逆方向に開いた状態の平面図である。
【図８】図１に示すドア構造の戸を２枚用いた折戸としての変形例を示す（ａ）折戸を閉じた状態の平面図、（ｂ）折戸を両側に開いた状態の平面図、（ｃ）レールを延ばして折戸を開いて片側に寄せた状態の平面図、（ｄ）折戸を逆方向に開いた状態の平面図、（ｅ）折戸を開いて両側に寄せた状態の平面図、（ｆ）折戸を開いて片側に寄せた状態の平面図、（ｇ）折戸を両側に逆方向に開いて寄せた状態の平面図である。
【図９】本発明の第２の実施の形態のドア構造を示す正面図である。
【図１０】図９に示すドア構造の（ａ）正面から視た断面図、（ｂ）縦断面図である。
【図１１】図９に示すドア構造の床側台座の平面図である。
【図１２】図９に示すドア構造の天井付近の戸および天井側台座の縦断面図である。
【図１３】本発明の第３の実施の形態のドア構造を示す、床付近の戸および床側レールの部分縦断面図である。
【符号の説明】
【００５４】
１０  ドア構造
１１  戸
１２  開口部
１３  固定可動変換手段
１４  床側レール
１５  天井側レール
１６  床側挿入孔
１７  天井側挿入孔
１８  引力部材
１９  戸当たり部材
２０  軸調整部
２１  操作部
２２ａ，２２ｂ  歯車
２３ａ，２３ｂ  軸ピン
２４ａ，２４ｂ  収納ボックス
２５ａ，２５ｂ  カバー部
２６  床側突出部
２７  天井側突出部
２８  ラック
２９  床側戸車
３０  天井側戸車
３１  ストッパ
３２ａ，３２ｂ  スプリング
３３ａ，３３ｂ  台座
３４  戸当たり孔
３５  Ｘ軸調整歯車
３６  Ｘ軸調整ボルト
３７  Ｙ軸調整歯車
３８  高さ調整歯車
【図１】
2009019411.tif 000003
【図２】
2009019411.tif 000004
【図３】
2009019411.tif 000005
【図４】
2009019411.tif 000006
【図５】
2009019411.tif 000007
【図６】
2009019411.tif 000008
【図７】
2009019411.tif 000009
【図８】
2009019411.tif 000010
【図９】
2009019411.tif 000011
【図１０】
2009019411.tif 000012
【図１１】
2009019411.tif 000013
【図１２】
2009019411.tif 000014
【図１３】
2009019411.tif 000015